【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
コンテンツ送信装置と、前記コンテンツ送信装置から送信される映像データに基づいて映像を表示するディスプレイ装置とを備え、
前記コンテンツ送信装置が、
映像データを含む第１種別のコンテンツ、又は、映像データを含まない第２種別のコンテンツを処理するコンテンツ処理手段と、
前記コンテンツ処理手段が処理するコンテンツが前記第１種別のコンテンツである場合に、前記第１種別のコンテンツに含まれる映像データを前記ディスプレイ装置に送信するコンテンツ送信手段と、
前記コンテンツ処理手段が処理するコンテンツが前記第１種別のコンテンツであるか、又は、前記第２種別のコンテンツであるかを判断する種別判断手段と、
後記選択手段によって前記コンテンツ送信装置の接続されている接続手段が選択されているか否かを判断する選択判断手段と、
前記選択判断手段によって後記選択手段が前記コンテンツ送信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって後記選択手段が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信するコマンド送信手段とを有し、
前記ディスプレイ装置が、
前記コンテンツ送信手段から受信した映像データに基づいて映像を表示する表示手段と、
前記コマンド送信手段から前記電源オフコマンド又は前記電源オンコマンドを受信するコマンド受信手段と、
前記コマンド受信手段が前記電源オフコマンドを受信した場合にスタンバイ状態に移行し、前記コマンド受信手段が前記電源オンコマンドを受信した場合に電源オン状態に移行する電源制御手段と、
前記コンテンツ送信装置を含む複数の機器が接続される複数の接続手段と、
前記複数の接続手段の中から、前記表示手段が表示する映像データが入力される接続手段を選択する選択手段とを有する、映像表示システム。
【請求項２】
コンテンツ再生装置と、コンテンツ送受信装置と、前記コンテンツ送受信装置から送信される映像データに基づいて映像を表示するディスプレイ装置とを備え、
前記コンテンツ再生装置が、
映像データを含む第１種別のコンテンツ、又は、映像データを含まない第２種別のコンテンツを再生するコンテンツ再生手段と、
前記コンテンツ再生手段によって再生されたコンテンツを前記コンテンツ送受信装置に送信する第１コンテンツ送信手段と、
前記コンテンツ再生手段によって再生されるコンテンツが前記第１種別のコンテンツであるか、又は、前記第２種別のコンテンツであるかを示す種別通知コマンドを前記コンテンツ送受信装置に送信する第１コマンド送信手段とを有し、
前記コンテンツ送受信装置が、
前記第１コンテンツ送信手段から送信されたコンテンツを受信する第１コンテンツ受信手段と、
前記第１コマンド送信手段から送信された前記種別通知コマンドを受信する第１コマンド受信手段と、
前記第１コンテンツ受信手段が受信する前記第１種別のコンテンツに含まれる映像データを前記ディスプレイ装置に送信する第２コンテンツ送信手段と、
前記第１コマンド受信手段が受信した種別通知コマンドの通知内容が前記第１種別のコンテンツであることを示すか、又は、前記第２種別のコンテンツであることを示すかを判断する種別判断手段と、
後記選択手段によって前記コンテンツ送受信装置の接続されている接続手段が選択されているか否かを判断する選択判断手段と、
前記選択判断手段によって後記選択手段が前記コンテンツ送受信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって後記選択手段が前記コンテンツ送受信装置の接続されている接続手段を選択していると判断され、かつ、前記種別判断手段によってコンテンツが前記第１種別のコンンテンツであると判断された場合、電源オンコマンドを前記ディスプレイ装置に送信する第２コマンド送信手段とを有し、
前記ディスプレイ装置が、
前記第２コンテンツ送信手段から受信した映像データに基づいて映像を表示する表示手段と、
前記第２コマンド送信手段から前記電源オフコマンド又は前記電源オンコマンドを受信する第２コマンド受信手段と、
前記第２コマンド受信手段が前記電源オフコマンドを受信した場合にスタンバイ状態に移行し、前記第２コマンド受信手段が前記電源オンコマンドを受信した場合に電源オン状態に移行する電源制御手段と、
前記コンテンツ送受信装置を含む複数の機器が接続される複数の接続手段と、
前記複数の接続手段の中から、前記表示手段が表示する映像データが入力される接続手段を選択する選択手段とを有する、映像表示システム。
【請求項３】
前記第１コマンド送信手段が、前記コンテンツ再生手段によって再生されるコンテンツの種別が前記第１種別と前記第２種別との間で変更になったときに前記種別通知コマンドを前記コンテンツ送受信装置に送信する、請求項２に記載の映像表示システム。
【請求項４】
前記ディスプレイ装置が、前記選択手段が選択する接続手段に接続されている機器に対して第１レベルのホットプラグ信号を出力し、前記選択手段が選択していない接続手段に接続されている機器に対して第２レベルのホットプラグ信号を出力するホットプラグ信号出力手段をさらに有し、
前記選択判断手段が、前記ホットプラグ信号出力手段から出力されるホットプラグ信号が前記第１レベルであるか、又は、前記第２レベルであるかを判断することによって、前記選択手段によって自身の接続されている接続手段が選択されているか否かを判断する、請求項１〜３のいずれかに記載の映像表示システム。
【請求項５】
請求項１に記載の映像表示システムに適用されるコンテンツ送信装置であって、
映像データを含む第１種別のコンテンツ、又は、映像データを含まない第２種別のコンテンツを処理するコンテンツ処理手段と、
前記コンテンツ処理手段が処理するコンテンツが前記第１種別のコンテンツである場合に、前記第１種別のコンテンツに含まれる映像データを前記ディスプレイ装置に送信するコンテンツ送信手段と、
前記コンテンツ処理手段が処理するコンテンツが前記第１種別のコンテンツであるか、又は、前記第２種別のコンテンツであるかを判断する種別判断手段と、
後記選択手段によって前記コンテンツ送信装置の接続されている接続手段が選択されているか否かを判断する選択判断手段と、
前記選択判断手段によって後記選択手段が前記コンテンツ送信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって後記選択手段が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信するコマンド送信手段とを備える、コンテンツ送信装置。
【請求項６】
請求項２に記載の映像表示システムに適用されるコンテンツ送受信装置であって、
前記第１コンテンツ送信手段から送信されたコンテンツを受信する第１コンテンツ受信手段と、
前記第１コマンド送信手段から送信された前記種別通知コマンドを受信する第１コマンド受信手段と、
前記第１コンテンツ受信手段が受信する前記第１種別のコンテンツに含まれる映像データを前記ディスプレイ装置に送信する第２コンテンツ送信手段と、
前記第１コマンド受信手段が受信した種別通知コマンドの通知内容が前記第１種別のコンテンツであることを示すか、又は、前記第２種別のコンテンツであることを示すかを判断する種別判断手段と、
後記選択手段によって前記コンテンツ送受信装置の接続されている接続手段が選択されているか否かを判断する選択判断手段と、
前記選択判断手段によって後記選択手段が前記コンテンツ送受信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって後記選択手段が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信する第２コマンド送信手段とを備える、コンテンツ送受信装置。
【請求項７】
請求項２に記載の映像表示システムに適用されるコンテンツ再生装置であって、
映像データを含む第１種別のコンテンツ、又は、映像データを含まない第２種別のコンテンツを再生するコンテンツ再生手段と、
前記コンテンツ再生手段によって再生されたコンテンツを前記コンテンツ送受信装置に送信する第１コンテンツ送信手段と、
前記コンテンツ再生手段によって再生されるコンテンツが前記第１種別のコンテンツであるか、又は、前記第２種別のコンテンツであるかを示す種別通知コマンドを前記コンテンツ送受信装置に送信する第１コマンド送信手段とを備える、コンテンツ再生装置。